(57)【要約】【課題】優れた泡立ち性と泡の持続性を兼ね備えた液体洗浄剤組成物を提供することを目的とする。【解決手段】ポリオキシエチレンアルキルエーテル硫酸塩（Ａ）およびアミンオキシド型界面活性剤を含む界面活性剤３０〜６０質量％と、ハイドロトロープ剤（ただし、水溶性有機溶剤を除く）０．０１〜１０．００質量％と、水溶性有機溶剤０．０１〜１０．００質量％とを含有し、２５℃における粘度が５０〜１５０ｍＰａ・ｓである液体洗浄剤組成物であって、２５℃における粘度の最大値は、濃度５０〜７０質量％の範囲内に存在し、２５０ｍＰａ・ｓ以下であり、かつ、濃度４０質量％の２５℃における粘度が８０〜１５０ｍＰａ・ｓであることを特徴とする液体洗浄剤組成物。【選択図】なし【特許請求の範囲】
【請求項１】
ポリオキシエチレンアルキルエーテル硫酸塩（Ａ）およびアミンオキシド型界面活性剤を含む界面活性剤３０〜６０質量％と、ハイドロトロープ剤（ただし、水溶性有機溶剤を除く）０．０１〜１０．００質量％と、水溶性有機溶剤０．０１〜１０．００質量％とを含有し、２５℃における粘度が５０〜１５０ｍＰａ・ｓである液体洗浄剤組成物であって、
２５℃における粘度の最大値は、濃度５０〜７０質量％の範囲内に存在し、２５０ｍＰａ・ｓ以下であり、
かつ、濃度４０質量％の２５℃における粘度が８０〜１５０ｍＰａ・ｓであることを特徴とする液体洗浄剤組成物。
【請求項２】
前記ポリオキシエチレンアルキルエーテル硫酸塩（Ａ）の含有量が１０〜３０質量％であり、
前記アミンオキシド型界面活性剤が、モノ長鎖アルキルまたはアルケニル第３級アミンオキシド（Ｂ）であり、かつ該モノ長鎖アルキルまたはアルケニル第３級アミンオキシド（Ｂ）の含有量が２〜１０質量％であり、
前記界面活性剤が、ポリオキシアルキレン脂肪酸モノエタノールアミド（Ｃ）をさらに含み、かつ該ポリオキシアルキレン脂肪酸モノエタノールアミド（Ｃ）の含有量が３〜１０質量％であり、
前記ハイドロトロープ剤が、ｐ−トルエンスルホン酸またはその塩（Ｄ）を含み、かつ該ｐ−トルエンスルホン酸またはその塩（Ｄ）の含有量が０．０１〜１０．００質量％であり、
（Ａ）／（Ｂ）で表される質量比が３〜５、（Ｃ）／［（Ａ）＋（Ｂ）］で表される質量比が０．２〜０．５であることを特徴とする請求項１に記載の液体洗浄剤組成物。
【発明の詳細な説明】
【技術分野】
【０００１】
本発明は、液体洗浄剤組成物に関する。
【背景技術】
【０００２】
台所等の食器類、調理器具、シンク周りなどを洗浄するために使用される液体洗浄剤組成物には、高い洗浄力が求められる。
洗浄力は洗浄時の泡の有無により実感されやすく、泡立ちに優れる液体洗浄剤は洗浄力を実感されやすい。また、泡量が持続すれば、洗浄力の持続性も実感できる。
【０００３】
洗浄力と泡立ち性に優れた液体洗浄剤組成物として、例えば特許文献１には、ポリオキシエチレンアルキルエーテル硫酸エステル塩等を含むアニオン界面活性剤と、アルキルジメチルアミンオキシド等を含む半極性界面活性剤と、脂肪酸モノエタノールアミドとを含む液体洗浄剤組成物が開示されている。
【０００４】
また、液体洗浄剤の粘度を調整することで、スポンジ等の可撓性吸収体からの液体洗浄剤の流出を抑制し、洗浄効果を持続させる方法が提案されている。
例えば特許文献２には、ポリオキシエチレンアルキルまたはアルケニルエーテル硫酸エステルと、モノ長鎖アルキルまたはアルケニル第３級アミンオキサイドと、脂肪酸アルカノールアミドとを含有し、原液から最大５倍まで水で希釈したときの２０℃の粘度が１００〜１０００ｍＰａ・ｓである液体洗浄剤が開示されている。
特許文献３には、ポリオキシエチレンアルキル硫酸エステルおよびアミンオキシド型界面活性剤等を含む界面活性剤と、ハイドロトロープ剤と、水溶性有機溶媒とを含有し、原液の粘度が３００〜１０００ｍＰａ・ｓであり、水で希釈した場合の２０℃における粘度（１０００ｍＰａ・ｓを越え、２５００ｍＰａ・ｓ以下）が希釈濃度１０〜６０質量％の範囲内に存在する液体洗浄剤組成物が開示されている。
【先行技術文献】
【特許文献】
【０００５】
【特許文献１】特開２００７−１６９５６２号公報
【特許文献２】特開２０００−２４８２９３号公報
【特許文献３】特開２００２−２１２６００号公報
【発明の概要】
【発明が解決しようとする課題】
【０００６】
しかしながら、特許文献１に記載のような泡立ち性に優れる液体洗浄剤組成物は、洗浄過程において泡量が減少する、いわゆる「泡のヘタリ」を感じやすかった。泡量の減少は、泡立て時に洗剤濃度の高い泡が大量に立ち過ぎることで、洗い始めにスポンジから多くの洗剤が流出し、スポンジ中の洗剤濃度が薄まることが原因であり、泡立ち性に優れ洗浄力の強い液体洗浄剤において特に顕著に起こる傾向にある。
【０００７】
一方、特許文献２、３に記載のような持続性に優れる液体洗浄剤組成物は、原液の粘度や水で希釈したときの粘度を高く設定することで、スポンジ中の洗剤の拡散性を抑え、泡の持続性を高めることができるが、例えば特許文献１に記載のような泡立ち性に優れる液体洗浄剤に比べて泡立ち性が悪く、洗浄力の実感が得られにくかった。
このように、台所用の液体洗浄剤において、泡立ち性と泡の持続性を両立することは困難であった。
【０００８】
本発明は上記事情を鑑みてなされたものであり、優れた泡立ち性と泡の持続性を兼ね備えた液体洗浄剤組成物を提供することを目的とする。
【課題を解決するための手段】
【０００９】
本発明の液体洗浄剤組成物は、ポリオキシエチレンアルキルエーテル硫酸塩（Ａ）およびアミンオキシド型界面活性剤を含む界面活性剤３０〜６０質量％と、ハイドロトロープ剤（ただし、水溶性有機溶剤を除く）０．０１〜１０．００質量％と、水溶性有機溶剤０．０１〜１０．００質量％とを含有し、２５℃における粘度が５０〜１５０ｍＰａ・ｓである液体洗浄剤組成物であって、２５℃における粘度の最大値は、濃度５０〜７０質量％の範囲内に存在し、２５０ｍＰａ・ｓ以下であり、かつ、濃度４０質量％の２５℃における粘度が８０〜１５０ｍＰａ・ｓであることを特徴とする。
【００１０】
また、前記ポリオキシエチレンアルキルエーテル硫酸塩（Ａ）の含有量が１０〜３０質量％であり、前記アミンオキシド型界面活性剤が、モノ長鎖アルキルまたはアルケニル第３級アミンオキシド（Ｂ）であり、かつ該モノ長鎖アルキルまたはアルケニル第３級アミンオキシド（Ｂ）の含有量が２〜１０質量％であり、前記界面活性剤が、ポリオキシアルキレン脂肪酸モノエタノールアミド（Ｃ）をさらに含み、かつ該ポリオキシアルキレン脂肪酸モノエタノールアミド（Ｃ）の含有量が３〜１０質量％であり、前記ハイドロトロープ剤が、ｐ−トルエンスルホン酸またはその塩（Ｄ）を含み、かつ該ｐ−トルエンスルホン酸またはその塩（Ｄ）の含有量が０．０１〜１０．００質量％であり、（Ａ）／（Ｂ）で表される質量比が３〜５、（Ｃ）／［（Ａ）＋（Ｂ）］で表される質量比が０．２〜０．５であることが好ましい。
【発明の効果】
【００１１】
本発明の液体洗浄剤組成物は、優れた泡立ち性と泡の持続性を兼ね備える。
【図面の簡単な説明】
【００１２】
【図１】液体洗浄剤組成物の濃度と粘度の関係を表すグラフである。
【発明を実施するための形態】
【００１３】
以下、本発明を詳細に説明する。
本発明の液体洗浄剤組成物は、２５℃における粘度（以下、「初期粘度」という。）が５０〜１５０ｍＰａ・ｓであり、６０〜１４０ｍＰａ・ｓが好ましく、７０〜１３０ｍＰａ・ｓがより好ましい。初期粘度が５０ｍＰａ・ｓ以上であれば、液体洗浄剤組成物がスポンジから過剰に流出するのを抑制できるので、泡の持続性を維持できる。一方、初期粘度が１５０ｍＰａ・ｓ以下であれば、液体洗浄剤組成物がスポンジ内へ含浸しやすくなるので、泡立ち性を維持できる。
【００１４】
また、液体洗浄剤組成物は、２５℃における粘度の最大値が濃度５０〜７０質量％の範囲内に存在し、濃度５０〜６５質量％の範囲内に存在するのが好ましい。粘度の最大値が上記範囲内に存在すれば、液体洗浄剤組成物のスポンジ内における拡散と流出のバランスを図れるので、泡立ち性と泡の持続性を良好に維持できる。粘度の最大値が濃度５０質量％未満に存在すると、泡の持続性には優れるものの、洗浄開始直後の泡立ち性が得られにくい。一方、粘度の最大値が濃度７０質量％を超える範囲に存在すると、洗浄開始直後の泡立ち性には優れるものの、泡の持続性が著しく低下しやすい。
ここで、例えば「濃度７０質量％」とは、液体洗浄剤組成物７０質量部と水３０質量部を混合した場合の状態を指す。また、上述した「初期粘度」とは、濃度１００質量％のときの粘度のことである。
【００１５】
さらに、２５℃における粘度の最大値は２５０ｍＰａ・ｓ以下であり、２００ｍＰａ・ｓ以下が好ましく、１９０ｍＰａ・ｓ以下がより好ましい。粘度の最大値が２５０ｍＰａ・ｓ以下であれば、液体洗浄剤組成物がスポンジ内へ拡散しやすくなるので、泡立ち性を維持できる。
粘度の最大値は、１５０ｍＰａ・ｓを超えることが好ましく、１６０ｍＰａ・ｓ以上であることがより好ましく、１６５ｍＰａ・ｓ以上であることが特に好ましい。粘度の最大値が１５０ｍＰａ・ｓを超えれば、液体洗浄剤組成物がスポンジ内に留まりやすくなるので、泡の持続性を維持できる。
【００１６】
また、液体洗浄剤組成物は、濃度４０質量％の２５℃における粘度（以下、この場合の粘度を「濃度４０％粘度」という。）が８０〜１５０ｍＰａ・ｓであり、８５〜１４０ｍＰａ・ｓが好ましく、９０〜１２０ｍＰａ・ｓがより好ましい。濃度４０％粘度が８０ｍＰａ・ｓ以上であれば、液体洗浄剤組成物がスポンジ内に留まりやすくなるので、泡の持続性を維持できる。一方、濃度４０％粘度が１５０ｍＰａ・ｓ以下であれば、液体洗浄剤組成物がスポンジ内へ拡散しやすくなるので、泡立ち性を維持できる。
【００１７】
なお、本発明において、液体洗浄剤組成物の粘度は以下のようにして測定する。
まず、２５℃に設定した恒温槽内にて測定試料を２５℃に調整する。ついで、２５℃の測定試料をＢＬ型粘度計（ＴＯＫＩＭＥＣ社製の「ＰＶＬ−Ｂ２」、ローター番号：Ｎｏ．２）にセットし、ローターの回転数６０ｒｐｍで回転を開始し、回転開始から１分後に粘度を測定する。
【００１８】
本発明者らは鋭意検討した結果、スポンジ内における液体洗浄剤組成物の拡散と流出のバランスを図ることで、優れた泡立ち性と泡の持続性を両立できることを見出した。そして、実使用における液体洗浄剤組成物の拡散と流出のバランスを図るには、液体洗浄剤組成物の濃度と粘度の関係が重要であるとの着想に基づき、本発明を完成するに至った。
【００１９】
上述したように、特許文献１に記載のような泡立ち性に優れる液体洗浄剤組成物は、泡の持続性に劣る。このような液体洗浄剤組成物の濃度と粘度の関係を表すと、例えば図１の破線のようになる。すなわち、液体洗浄剤組成物の濃度が低くなるに従って粘度が徐々に減少する。これは、洗浄中に液体洗浄剤組成物がスポンジ内で希釈され濃度が薄まると、液体洗浄剤組成物の流出が促進されて泡の持続性が低下することを意味する。
【００２０】
しかし、本発明の液体洗浄剤組成物は、初期粘度、粘度が最大となるときの濃度と粘度の最大値、および濃度４０％粘度を上記範囲内に規定することで、濃度と粘度の関係が例えば図１に示す実線のような曲線を描く。すなわち、液体洗浄剤組成物の濃度が低下していくと粘度が徐々に上がり、濃度５０〜７０質量％の間でピークトップを迎える。粘度がピークトップを迎えた後は、濃度が低下するに従って粘度が徐々に減少していく。濃度と粘度がこのような曲線を描くことで、液体洗浄剤組成物の拡散と流出のバランスを制御でき、優れた泡立ち性と泡の持続性を兼ね備えることができる。
【００２１】
液体洗浄剤組成物の初期粘度、粘度が最大となるときの濃度と粘度の最大値、および濃度４０％粘度は、液体洗浄剤組成物を構成する成分の種類とその含有量により調整できる。以下、液体洗浄剤組成物を構成する成分について説明する。
本発明の液体洗浄剤組成物は、界面活性剤と、ハイドロトロープ剤と、水溶性有機溶剤とを含有する。
【００２２】
［界面活性剤］
界面活性剤は、ポリオキシエチレンアルキルエーテル硫酸塩およびアミンオキシド型界面活性剤を含む。
界面活性剤の含有量は、液体洗浄剤組成物１００質量％中、３０〜６０質量％であり、３５〜５０質量％が好ましい。界面活性剤の含有量が３０質量％未満であると、泡量および泡の持続性が低下する。一方、界面活性剤の含有量が６０質量％より多い場合、得られる液体洗浄剤組成物の粘度が上昇し、ゲル化する場合がある。
【００２３】
（ポリオキシエチレンアルキルエーテル硫酸塩）
ポリオキシエチレンアルキルエーテル硫酸塩（Ａ）（以下、「（Ａ）成分」という。）は、主に液体洗浄剤組成物の初期粘度を調整することを目的として配合される。
（Ａ）成分は下記一般式（１）で表される。
【００２４】
【化１】
2010275476.tif 000002
【００２５】
式（１）中、Ｒ１はアルキル基またはアルケニル基である。これらアルキル基およびアルケニル基は、直鎖状であっても分岐鎖状であってもよい。
アルキル基としては、炭素数８〜１８のアルキル基が好ましい。一方、アルケニル基としては、炭素数８〜１８のアルケニル基が好ましい。
洗浄力が向上する観点から、Ｒ１としては炭素数１０〜１４のアルキル基、または炭素数１０〜１４のアルケニル基が好ましい。
【００２６】
Ｍ１は水素原子、アルカリ金属、アルカリ土類金属、アンモニウム、アルカノールアミンである。
アルカリ金属としては、ナトリウム、カリウム等が挙げられる。
アルカリ土類金属としては、カルシウム、マグネシウム等が挙げられる。
アルカノールアミンとしては、モノエタノールアミン、ジエタノールアミン、トリエタノールアミン等が挙げられる。
洗浄力が向上する観点から、Ｍ１としてはナトリウム、カリウム、マグネシウム、アンモニウムが好ましい。
【００２７】
ｍはエチレンオキシドの平均付加モル数を示し、１〜１０である。
洗浄力および低温安定性が向上する観点から、ｍは１〜５が好ましい。
【００２８】
（Ａ）成分としては、例えば炭素数８〜１８のポリオキシエチレンアルキルエーテル硫酸ナトリウム（エチレンオキシドの平均付加モル数：２）、炭素数８〜１８のポリオキシエチレンアルキルエーテル硫酸ナトリウム（エチレンオキシドの平均付加モル数：１）等が挙げられる。また、市販品としてライオン株式会社製の「サンノールＮＬ−１４３０」、テイカ株式会社製の「テイカポールＮＥ１２３０」などを用いてもよい。
【００２９】
（Ａ）成分は、１種単独で用いてもよく、２種以上を混合して用いてもよい。
（Ａ）成分の含有量は、液体洗浄剤組成物１００質量％中、１０〜３０質量％が好ましく、１５〜３０質量％がより好ましい。（Ａ）成分の含有量が１０質量％未満であると、泡量および泡の持続性が低下する。一方、（Ａ）成分の含有量が３０質量％より多い場合、得られる液体洗浄剤組成物の粘度が上昇し、ゲル化する場合がある。
また、（Ａ）成分の含有量が少なくなるに連れて、液体洗浄剤組成物の初期粘度は下がる傾向にある。
【００３０】
（アミンオキシド型界面活性剤）
アミンオキシド型界面活性剤は、洗浄力および泡性能ブースター（促進剤）として、またマイルド性および保存安定性の向上を目的として配合される。
アミンオキシド型界面活性剤としては、モノ長鎖アルキルまたはアルケニル第３級アミンオキシド（Ｂ）（以下、「（Ｂ）成分」という。）が好ましく、具体的には、アルキルジメチルアミンオキシド、アルキルジエチルアミンオキシド、アルカノイルアミドアルキルジメチルアミンオキシド、アルケニルジメチルアミンオキシド等の半極性界面活性剤が挙げられる。中でも（Ｂ）成分としては、下記一般式（２）で表される化合物が好適なものとして挙げられる。
【００３１】
【化２】
2010275476.tif 000003
【００３２】
式（２）中、Ｒ２は炭素数８〜１８のアルキル基、または炭素数８〜１８のアルケニル基である。これらアルキル基およびアルケニル基は、直鎖状であっても分岐鎖状であってもよい。
洗浄力が向上する観点から、Ｒ２としては炭素数１０〜１４のアルキル基、または炭素数１０〜１４のアルケニル基が好ましい。
【００３３】
Ｒ３、Ｒ４はそれぞれ独立して炭素数１〜３のアルキル基、または炭素数１〜３のヒドロキシアルキル基である。
Ｒ３、Ｒ４としては、炭素数１〜３のアルキル基が好ましく、いずれもメチル基が特に好ましい。
【００３４】
Ｒ５は炭素数１〜４のアルキル基である。
Ｑは−ＣＯＮＨ−、−ＮＨＣＯ−、−ＣＯＯ−、−ＯＣＯ−または−Ｏ−である。Ｑは−ＣＯＮＨ−が好ましい。
ｎは０または１である。ｎは０が好ましい。
なお、式（３）中、「Ｎ→Ｏ」は、アミンオキシドの半極性結合を示す。
【００３５】
（Ｂ）成分としては、具体的にラウリルジメチルアミンオキシド、ヤシアルキルジメチルアミンオキシドなどのアルキルジメチルアミンオキシド；ラウリン酸アミドプロピルジメチルアミンオキシドなどのアルカノイルアミドアルキルジメチルアミンオキシド等が好適なものとして挙げられる。中でも洗浄力に優れる観点から、アルキルジメチルアミンオキシドが好ましい。
また、市販品としてライオン・アクゾ株式会社製の「アロモックスＤＭ１０Ｄ−Ｗ」、「アロモックスＤＭＣ−Ｗ」、「アロモックスＤＭ１２Ｄ−Ｗ（Ｃ）」、「アロモックスＤＭ１４Ｄ−Ｎ」；川研ファインケミカル株式会社製の「ソフタゾリンＬＡＯ」などを用いてもよい。
【００３６】
（Ｂ）成分は、１種単独で用いてもよく、２種以上を混合して用いてもよい。
（Ｂ）成分の含有量は、液体洗浄剤組成物１００質量％中、２〜１０質量％が好ましく、３〜８質量％がより好ましい。（Ｂ）成分の含有量が２質量％未満であると、洗浄力が低下し、かつ泡のブースター効果が弱まり、泡量および泡の持続性が低下する。一方、（Ｂ）成分の含有量が１０質量％より多い場合、得られる液体洗浄剤組成物の粘度が上昇し、ゲル化する場合がある。また、低温安定性の悪化が顕著になる。
【００３７】
（ポリオキシアルキレン脂肪酸モノエタノールアミド）
界面活性剤は、（Ａ）成分および（Ｂ）成分以外に、ポリオキシアルキレン脂肪酸モノエタノールアミド（Ｃ）（以下、「（Ｃ）成分」という。）を含むことが好ましい。（Ｃ）成分を併用することで、液体洗浄剤組成物の粘度をより容易に調整できる。具体的には（Ｃ）成分を併用すると粘度が上がる傾向にある。
（Ｃ）成分としては、下記一般式（３）で表される化合物が好ましい。
【００３８】
【化３】
2010275476.tif 000004
【００３９】
式（３）中、Ｒ６は炭素数５〜１９のアルキル基、または炭素数５〜１９のアルケニル基である。これらアルキル基およびアルケニル基は、直鎖状であっても分岐鎖状であってもよい。
洗浄力が向上する観点から、Ｒ６としては炭素数９〜１３のアルキル基、または炭素数９〜１３のアルケニル基が好ましい。
【００４０】
Ｒ７は炭素数２〜４のアルキレン基である。アルキレン基は、直鎖状であっても分岐鎖状であってもよい。また、アルキレン基は１種単独で混合されていてもよく、２種以上混合されていてもよい。
溶解性が向上する観点から、Ｒ７としてはエチレン基および／またはイソプロピレン基が好ましく、特に好ましくはエチレン基である。
【００４１】
ｐはアルキレンオキシドの平均付加モル数を示し、１〜５である。
洗浄力および溶解性が向上する観点から、ｐは１〜３が好ましい。
【００４２】
（Ｃ）成分としては、例えばポリオキシエチレンラウリン酸モノエタノールアミド（エチレンオキシドの平均付加モル数：２）、ポリオキシエチレンヤシ油脂肪酸モノエタノールアミド（エチレンオキシドの平均付加モル数：１）、ポリオキシプロピレンラウリン酸モノエタノールアミド（プロピレンオキシドの平均付加モル数：１）等が挙げられる。
また、市販品として川研ファインケミカル株式会社製の「アミゼット２Ｌ−Ｙ」、「アミゼット５Ｃ」、「アミゼット１ＰＬ」などを用いてもよい。
【００４３】
（Ｃ）成分は、１種単独で用いてもよく、２種以上を混合して用いてもよい。
（Ｃ）成分の含有量は、液体洗浄剤組成物１００質量％中、３〜１０質量％が好ましく、４〜８質量％がより好ましい。（Ｃ）成分の含有量が上記範囲内であれば、泡立ち性と泡の持続性を両立できる。（Ｃ）成分の含有量が３質量％未満であると、泡立ち性は良好になるものの、泡の持続性が低下する。一方、（Ｃ）成分の含有量が１０質量％より多い場合、泡の持続性は良好になるものの、泡立ち性が低下する。
【００４４】
（その他）
界面活性剤は、（Ａ）成分〜（Ｃ）成分以外のその他の界面活性剤を含んでもよい。
その他の界面活性剤としては、陽イオン性界面活性剤、（Ａ）成分以外の陰イオン性界面活性剤、両性界面活性剤、（Ｃ）成分以外の非イオン性界面活性剤などが挙げられる。
【００４５】
陽イオン界面活性剤としては、アルキルトリメチルアンモニウム塩、ジアルキルジメチルアンモニウム塩、アルキルピリジニウム塩等が挙げられる。
（Ａ）成分以外の陰イオン性界面活性剤としては、例えば第２級アルカンスルホン酸塩、α−オレフィンスルホン酸塩、アルキルベンゼンスルホン酸塩、α−スルホ脂肪酸塩、脂肪酸石鹸、リン酸エステル塩系界面活性剤、アシルアラニネート、アシルタウレート等が挙げられる。
両性界面活性剤としては、例えばアルキル酢酸ベタイン、アルカノールアミドプロピル酢酸ベタイン、アルキルイミダゾリン、アルキルアラニン等が挙げられる。
（Ｃ）成分以外の非イオン性界面活性剤としては、例えば（Ｃ）成分以外の脂肪酸アルカノールアミド、脂肪酸アルカノールグルカミド、ポリオキシアルキレンアルキルエーテル、脂肪酸ポリオキシアルキレンアルキルエーテル、アルキルグリセリルエーテル、アルキルポリグルコシド、ショ糖脂肪酸エステル等の非イオン性界面活性剤などが挙げられる。
【００４６】
［ハイドロトロープ剤］
ハイドロトロープ剤は、液体洗浄剤組成物の粘度の最大値が濃度５０〜７０質量％の範囲内に存在するように調整することを目的として配合される。
なお、本発明において、ハイドロトロープ剤には、水溶性有機溶剤は含まれないものとする。
【００４７】
ハイドロトロープ剤の含有量は、液体洗浄剤組成物１００質量％中、０．０１〜１０．００質量％であり、１．００〜５．００質量％が好ましい。ハイドロトロープ剤の含有量が上記範囲内であれば、液体洗浄剤組成物の粘度の最大値が濃度５０〜７０質量％の範囲内に存在するように調整できる。
粘度の最大値は、ハイドロトロープ剤の含有量が多くなるに連れて低濃度側に移動する傾向にある。
【００４８】
（ｐ−トルエンスルホン酸またはその塩）
ハイドロトロープ剤は、ｐ−トルエンスルホン酸またはその塩（Ｄ）（以下、「（Ｄ）成分」という。）を含むのが好ましい。（Ｄ）成分は粘度の最大値が濃度５０〜７０質量％の範囲内に存在するように調整でき、しかも粘度調整もできるので、ハイドロトロープ剤として好適である。
塩としては、ナトリウム、カルシウム、マグネシウム等が挙げられる。
【００４９】
（Ｄ）成分の含有量は、液体洗浄剤組成物１００質量％中、０．０１〜１０．００質量％が好ましく、１．００〜５．００質量％がより好ましい。（Ｄ）成分の含有量が上記範囲内であれば、液体洗浄剤組成物の粘度の最大値が濃度５０〜７０質量％の範囲内に存在するように容易に調整できる。
また、（Ｄ）成分の含有量が多くなるに連れて、液体洗浄剤組成物の粘度は下がる傾向にある。
【００５０】
（その他）
ハイドロトロープ剤は、（Ｄ）成分以外のその他のハイドロトロープ剤を含んでもよい。
その他のハイドロトロープ剤としては、クメンスルホン酸またはその塩、キシレンスルホン酸またはその塩などが挙げられる。塩としては、ナトリウム、カルシウム、マグネシウム等が挙げられる。
その他のハイドロトロープ剤の含有量は、液体洗浄剤組成物１００質量％中、０．０１〜５．００質量％が好ましい。
【００５１】
［水溶性有機溶剤］
水溶性有機溶剤は、液体洗浄剤組成物の粘度を調整することを目的として配合される。
水溶性有機溶剤としては、例えばエタノール、種々の香料変性エタノール、イソプロパノール、ポリエチレングリコール、ブチルカルビトールなどが挙げられる。
【００５２】
水溶性有機溶剤の含有量は、液体洗浄剤組成物１００質量％中、０．０１〜１０．００質量％であり、２．０〜９．０質量％が好ましく、３．０〜８．５質量％がより好ましい。水溶性有機溶剤の含有量が０．０１質量％未満であると、得られる液体洗浄剤組成物の粘度が上昇し、ゲル化する場合がある。
なお、液体洗浄剤組成物に含まれる界面活性剤の種類やその含有量、ハイドロトロープ剤の種類やその含有量によって一概には言えないが、水溶性有機溶剤の含有量が多くなるに連れて、液体洗浄剤組成物の粘度は概ね下がる傾向にある。従って、水溶性有機溶剤の含有量は１０．００質量％以下が好ましい。
【００５３】
［各成分の質量比］
上述した（Ｂ）成分は、酸性から中性領域でカチオン性を帯びることにより、アニオン界面活性剤である（Ａ）成分と静電的相互作用により複合体を形成しやすい。この複合体は、液体洗浄剤組成物の洗浄力に寄与する傾向があると共に、初期粘度を向上させる傾向がある。
【００５４】
本発明者らは鋭意検討した結果、（Ａ）成分と（Ｂ）成分の複合体が形成される中に（Ｃ）成分が共存することで、液体洗浄剤組成物の初期粘度が上がるのを効果的に抑制でき、良好な泡立ち性を維持できることを見出した。加えて、（Ｃ）成分が共存することで、液体洗浄剤組成物がスポンジ内に留まりやすくなり、スポンジから過度に流出するのを抑制でき、泡の持続性も向上する。さらに、（Ａ）成分〜（Ｃ）成分の含有量および質量比を規定することで、泡立ち性と泡の持続性をより容易に両立できることを見出した。
【００５５】
すなわち、（Ａ）／（Ｂ）で表される質量比が３〜５であることが好ましく、３．５〜４．５であることがより好ましい。（Ａ）／（Ｂ）で表される質量比が３未満であると、（Ａ）成分と（Ｂ）成分の疎水性相互作用が大きくなりすぎ、液体洗浄剤組成物の粘度が過度に上がり、泡立ち性が低下しやすくなる。一方、（Ａ）／（Ｂ）で表される質量比が５より多い場合、液体洗浄剤組成物を希釈したときの粘度上昇が得られず、泡の持続性が低下しやすくなる。
【００５６】
また、（Ｃ）／［（Ａ）＋（Ｂ）］で表される質量比が０．２〜０．５であることが好ましい。（Ｃ）／［（Ａ）＋（Ｂ）］で表される質量比が上記範囲内であれば、泡立ち性を良好に維持しつつ、泡の持続性を向上できる。（Ｃ）／［（Ａ）＋（Ｂ）］で表される質量比が０．２未満であると、泡立ち性は良好となるものの、泡の持続性が低下する。一方、（Ｃ）／［（Ａ）＋（Ｂ）］で表される質量比が０．５より多い場合、泡の持続性は良好になるものの、泡立ち性が低下する。
【００５７】
［任意成分］
本発明の液体洗浄剤組成物には、必要に応じてその他の成分を適宜配合することができる。
その他の成分としては、例えばグリコール酸、乳酸、りんご酸、クエン酸、酒石酸、グルコン酸等のヒドロキシカルボン酸；シュウ酸、マロン酸、コハク酸、フマル酸等の多価カルボン酸；エチレンジアミン四酢酸、ニトリロ酢酸、ヒドロキシエチルエチレンジアミン三酢酸、ジエチレントリアミン五酢酸、トリエチレンテトラミン六酢酸等のアミノカルボン酸；ポリアクリル酸、ポリマレイン酸、ポリアクリル酸とポリマレイン酸との共重合体等の高分子型カルボン酸型キレート剤；硫酸ナトリウム、硫酸マグネシウム等の無機ビルダー；水酸化ナトリウム、水酸化カリウム、硫酸、短鎖アルキルベンゼンスルホン酸等のｐＨ調整剤；粘度調整剤、着色剤、酸化防止剤、防腐剤、殺菌剤、酸化亜鉛等の除菌剤、消炎剤、薬効成分、香料、天然抽出物等のような通常用いられる成分が挙げられる。
なお、前記短鎖アルキルベンゼンスルホン酸における「短鎖アルキル」は、炭素数１〜５のアルキル基を包含するものとする。
【００５８】
［液体洗浄剤組成物のｐＨ］
液体洗浄剤組成物は、２５℃でのｐＨが６〜８であることが好ましい。ｐＨが６未満の場合、（Ｂ）成分のカチオン性が強まりすぎ、低温安定性および泡立ち性が低下しやすくなる。ｐＨが８よりも高くなると、（Ｂ）成分のカチオン性が弱まりすぎ、洗浄力および泡の持続性が低下しやすくなる。
液体洗浄剤組成物のｐＨは、上述したｐＨ調整剤により調整できる。
なお、液体洗浄剤組成物（２５℃に調温）のｐＨは、ｐＨメーター等により測定される値を示す。
【００５９】
［液体洗浄剤組成物の製造］
液体洗浄剤組成物は、常法に準じて製造できる。例えば、界面活性剤と、ハイドロトロープ剤と、水溶性有機溶剤と、必要に応じて任意成分とを、各成分の純分換算量で所望の含有量になるように、水（例えば精製水、蒸留水、イオン交換水、純水、超純水など）に溶解して混合し、さらに必要に応じてｐＨ調整剤を用いて所定のｐＨになるように調整することで得られる。
【００６０】
以上説明した、本発明の液体洗浄剤組成物は、特定の含有量の界面活性剤と、ハイドロトロープ剤と、水溶性有機溶剤とを含有し、かつ初期粘度、粘度が最大となるときの濃度と粘度の最大値、および濃度４０％粘度を規定することで、液体洗浄剤組成物のスポンジ内における拡散と流出のバランスを制御でき、優れた泡立ち性と泡の持続性を兼ね備えることができる。従って、高い洗浄力を持続して実感できる。
【実施例】
【００６１】
以下、本発明を実施例により具体的に説明するが、本発明はこれらに限定されるものではない。
実施例および比較例で使用した原料は以下のとおりである。
【００６２】
［使用原料］
（界面活性剤）
・ＡＥＳ：ポリオキシエチレンアルキルエーテル硫酸エステルナトリウム、上記一般式（１）において、Ｒ１＝炭素数１２〜１６のアルキル基の混合物、Ｍ１＝ナトリウム、ｍ＝２。
なお、ＡＥＳは以下のようにして調製した。
原料アルコ−ルとして、アルコール（シェルケミカルズ社製の「ネオドール２３」と、Ｐ＆Ｇ社製の「ＣＯ１２７０Ａ」の１：１混合物）を用いた。
４Ｌのオートクレーブ中に、前記アルコ−ル４００ｇと、水酸化カリウム触媒０．８ｇとを仕込み、オートクレーブ内を窒素置換し、撹拌しながら昇温した。その後、温度１８０℃、圧力０．３ｍＰａに維持しながらエチレンオキシド１８４ｇを導入し、エチレンオキシドの平均付加モル数２の反応物（アルコールエトキシレート）を得た。
次に、このようにして得たアルコールエトキシレート２８０ｇを、撹拌装置付の５００ｍＬフラスコにとり、窒素置換した後、液体無水硫酸（サルファン）７８ｇを反応温度４０℃に保ちながらゆっくりと滴下した。滴下終了後、１時間撹拌を続け（硫酸化反応）、ポリオキシエチレンアルキルエーテル硫酸を得た。次いで、これを水酸化ナトリウム水溶液で中和することによりＡＥＳを得た。
【００６３】
・ＡＸ：アルキルジメチルアミンオキシド（ライオン・アクゾ株式会社製の「アロモックスＤＭ１２Ｄ−Ｗ（Ｃ）」）、上記一般式（２）において、Ｒ２＝ヤシ油由来のアルキル基、Ｒ３＝メチル基、Ｒ４＝メチル基、ｎ＝０。
【００６４】
・ＬＭＥ：ポリオキシエチレンラウリン酸モノエタノールアミド（川研ファインケミカル株式会社製の「アミゼット２Ｌ−Ｙ」）、上記一般式（３）において、Ｒ６＝炭素数１１のアルキル基、Ｒ７＝エチレン基、ｐ＝３。
【００６５】
・Ｃ１２ＭＥＡ：ポリオキシエチレンラウリン酸モノエタノールアミド、上記一般式（３）において、Ｒ６＝炭素数１１のアルキル基、Ｒ７＝エチレン基、ｐ＝２。
なお、Ｃ１２ＭＥＡは以下のようにして調製した。
ラウリン酸メチル（ライオン株式会社製の「パステルＭ−１２」）２１４ｇに、モノエタノールアミン（東京化成工業株式会社製）６４．１ｇおよびソジウムメチラート（日本触媒株式会社製の「ＳＭ−２８」、２８質量％品）７．７ｇ（１．０質量％対脂肪酸メチルエステル）を加え、副生するメタノールを減圧下留去しながら加熱攪拌（４０〜１．３ｋＰａ、９０℃、１時間）し、反応圧力が１．３ｋＰａに到達した時点で、反応温度９０℃で３時間熟成し、ラウリン酸モノエタノールアミド２４０ｇを調製した。
得られたラウリン酸モノエタノールアミドを１Ｌ容オートクレーブに仕込み、エチレンオキサイドをラウリン酸モノエタノールアミドに対して１．０モル分仕込み、９０℃で２時間かけて付加反応を行い、Ｃ１２ＭＥＡを得た。
【００６６】
・Ｃ１０ＭＥＡ：：ポリオキシエチレンカプリン酸モノエタノールアミド、上記一般式（３）において、Ｒ６＝炭素数９のアルキル基、Ｒ７＝エチレン基、ｐ＝２。
なお、１０ＭＥＡは、ラウリン酸メチルの代わりにカプリン酸メチル（ライオン株式会社製の「パステルＭ−１０」）を用いた以外は、Ｃ１２ＭＥＡと同様にして調製した。
【００６７】
・Ｃ８ＭＥＡ：：ポリオキシエチレンカプリル酸モノエタノールアミド、上記一般式（３）において、Ｒ６＝炭素数７のアルキル基、Ｒ７＝エチレン基、ｐ＝２。
なお、８ＭＥＡは、ラウリン酸メチルの代わりにカプリル酸メチル（ライオン株式会社製の「パステルＭ−８」）を用いた以外は、Ｃ１２ＭＥＡと同様にして調製した。
【００６８】
・ＳＡＳ：第２級アルカンスルホン酸ナトリウム（クラリアントジャパン株式会社製の「ＨＯＳＴＡＰＵＲ  ＳＡＳ  ３０Ａ」）。
・ＬＡＳ：直鎖アルキルベンゼンスルホン酸塩（テイカ株式会社製の「テイカパワーＬ１２１」）。
・ＡＥ：ポリオキシエチレンラウリルエーテル（ライオン株式会社製の「レオックスＬＣ−１５０」）、炭素数１２のアルキル基、ポリオキシエチレン鎖長：１５。
【００６９】
（ハイドロトロープ剤）
・ＰＴＳ：ｐ−トルエンスルホン酸（協和発酵ケミカル株式会社製の「ＰＴＳ酸」。
・ＣＳＮａ：クメンスルホン酸ナトリウム（テイカ株式会社製の「テイカトックスＮ５０４０」）。
【００７０】
（水溶性有機溶剤）
・エタノール：純正化学株式会社製。
・ＰＥＧ：ポリエチレングリコール（ライオン株式会社製の「ＰＥＧ＃１０００」、平均分子量１０００）。
【００７１】
（任意成分）
・酸化亜鉛：三井金属株式会社製。
・香料：特開２００３−２６８３９８号公報の表７〜１４に記載の香料組成物Ａ。
【００７２】
［試験１：粘度の調整］
＜濃度１００質量％の場合＞
（試験例１−１〜１−５、２−１〜２−４、３−１〜３−５）
表１〜３に示す配合組成に従って各成分を混合した後、２５℃でのｐＨが６．６となるようにｐＨ調整剤（水酸化ナトリウムまたは硫酸）を適量添加して、各例の液体洗浄剤組成物（原液）をそれぞれ調製した。得られた液体洗浄剤組成物の粘度（初期粘度）を以下の方法により測定した。結果を表１〜３に示す。
なお、表中の配合量の単位は質量％であり、いずれの成分も純分換算量を示す。各例の液体洗浄剤組成物は、表に記載の各成分の合計が１００質量％となるようにバランス量のイオン交換水で調整した。
また、ｐＨの測定は、液体洗浄剤組成物を２５℃に調整し、ガラス電極式ｐＨメーター（製品名：ホリバＦ−２２、（株）堀場製作所製）を用いて測定した。測定方法は、ＪＩＳ  Ｋ３３６２−１９９８に準拠して行った。
【００７３】
液体洗浄剤組成物の粘度の測定；
２５℃に設定した恒温槽内にて、液体洗浄剤組成物を２５℃に調整した。ついで、２５℃の液体洗浄剤組成物をＢＬ型粘度計（ＴＯＫＩＭＥＣ社製の「ＰＶＬ−Ｂ２」、ローター番号：Ｎｏ．２）にセットし、ローターの回転数６０ｒｐｍで回転を開始し、回転開始から１分後に粘度を測定した。
【００７４】
【表１】
2010275476.tif 000005
【００７５】
【表２】
2010275476.tif 000006
【００７６】
【表３】
2010275476.tif 000007
【００７７】
（Ａ）成分であるＡＥＳの含有量を変化させた試験例１−１〜１−５では、ＡＥＳの含有量が少なくなるに連れて初期粘度が下がる傾向にあった。
水溶性有機溶剤であるエタノールやＰＥＧの含有量を変化させた試験例２−１〜２−４、３−１〜３−５では、エタノールやＰＥＧの含有量が多くなるに連れて初期粘度が下がる傾向にあった。
これらの結果より、液体洗浄剤組成物の初期粘度は、（Ａ）成分や水溶性有機溶剤の含有量により容易に調整できる。
【００７８】
＜濃度８０質量％の場合＞
（試験例４−１〜４−５、５−１〜５−４）
表４、５に示す配合組成に従って各成分を混合した以外は、試験例１−１等と同様にして各例の液体洗浄剤組成物（原液）をそれぞれ調製した。ついで、原液８０質量部とイオン交換水２０質量部を混合して、濃度８０質量％の液体洗浄剤組成物とし、粘度を測定した。結果を表４、５に示す。
【００７９】
【表４】
2010275476.tif 000008
【００８０】
【表５】
2010275476.tif 000009
【００８１】
（Ｃ）成分であるＬＭＥやその他の界面活性剤であるＡＥ（いずれも非イオン界面活性剤）の含有量を変化させた試験例４−１〜４−５では、非イオン界面活性剤を含有させたり、非イオン界面活性剤の種類を変えたりすると、粘度が上がる傾向にあった。
エタノールの含有量を変化させた試験例５−１〜５−４では、エタノールの含有量が多くなるに連れて粘度が下がる傾向にあった。
これらの結果より、濃度８０質量％の液体洗浄剤組成物の粘度は、非イオン界面活性剤（特に（Ｃ）成分）や水溶性有機溶剤（特にエタノール）の含有量により容易に調整できる。
【００８２】
＜濃度６０質量％の場合＞
（試験例６−１〜６−３、７−１〜７−４、８−１〜８−４、９−１〜９−５、１０−１〜１０−２）
表６〜１０に示す配合組成に従って各成分を混合した以外は、試験例１−１等と同様にして各例の液体洗浄剤組成物（原液）をそれぞれ調製した。ついで、原液６０質量部とイオン交換水４０質量部を混合して、濃度６０質量％の液体洗浄剤組成物とし、粘度を測定した。結果を表６〜１０に示す。
なお、試験例７−１〜７−４では、液体洗浄剤組成物のｐＨが表７に示す値になるように、ｐＨ調整剤で調整した。
【００８３】
【表６】
2010275476.tif 000010
【００８４】
【表７】
2010275476.tif 000011
【００８５】
【表８】
2010275476.tif 000012
【００８６】
【表９】
2010275476.tif 000013
【００８７】
【表１０】
2010275476.tif 000014
【００８８】
（Ｂ）成分であるＡＸの含有量を変化させた試験例６−１〜６−３では、ＡＸの含有量が多くなるに連れて粘度が上がる傾向にあった。
ｐＨの値を変化させた試験例７−１〜７−４では、ｐＨの値が大きくなるに連れて粘度が下がる傾向にあった。
エタノールの含有量を変化させた試験例８−１〜８−４では、エタノールの含有量が多くなるに連れて粘度が下がる傾向にあった。
ＬＭＥやＡＥの含有量を変化させた試験例９−１〜９−５では、非イオン界面活性剤を含有させたり、非イオン界面活性剤の種類を変えたりすると、粘度が上がる傾向にあった。
（Ｄ）成分であるＰＴＳの含有量を変化させた試験例１０−１〜１０−２では、ＰＴＳの含有量が多くなるに連れて粘度が下がる傾向にあった。
これらの結果より、濃度６０質量％の液体洗浄剤組成物の粘度は、（Ｂ）成分、非イオン界面活性剤（特に（Ｃ）成分）、水溶性有機溶剤（特にエタノール）、ハイドロトロープ剤（特に（Ｄ）成分）の含有量や、液体洗浄剤組成物のｐＨにより容易に調整できる。
【００８９】
＜濃度４０質量％の場合＞
（試験例１１−１〜１１−４、１２−１〜１２−５、１３−１〜１３−２）
表１１〜１３に示す配合組成に従って各成分を混合した以外は、試験例１−１等と同様にして各例の液体洗浄剤組成物（原液）をそれぞれ調製した。ついで、原液４０質量部とイオン交換水６０質量部を混合して、濃度４０質量％の液体洗浄剤組成物とし、粘度を測定した。結果を表１１〜１３に示す。
【００９０】
【表１１】
2010275476.tif 000015
【００９１】
【表１２】
2010275476.tif 000016
【００９２】
【表１３】
2010275476.tif 000017
【００９３】
エタノールの含有量を変化させた試験例１１−１〜１１−４では、エタノールの含有量が多くなるに連れて粘度が下がる傾向にあった。
ＬＭＥやＡＥの含有量を変化させた試験例１２−１〜１２−５では、非イオン界面活性剤を含有させたり、非イオン界面活性剤の種類を変えたりすると、粘度が概ね上がる傾向にあった。
ＰＴＳの含有量を変化させた試験例１３−１〜１３−２では、ＰＴＳの含有量が多くなるに連れて粘度が下がる傾向にあった。
これらの結果より、濃度４０質量％の液体洗浄剤組成物の粘度は、水溶性有機溶剤（特にエタノール）、非イオン界面活性剤（特に（Ｃ）成分）、ハイドロトロープ剤（特に（Ｄ）成分）の含有量により容易に調整できる。
【００９４】
［試験２：粘度が最大となるときの濃度の調整］
（試験例１４−１〜１４−３、１５−１〜１５−３）
表１４、１５に示す配合組成に従って各成分を混合した以外は、試験例１−１等と同様にして各例の液体洗浄剤組成物（原液）をそれぞれ調製し、粘度を測定した。結果を表１４、１５に示す。
ついで、濃度が２０〜８０質量％になるように、各例の原液とイオン交換水を混合し、粘度を測定した。濃度２０、４０、６０、８０質量％の液体洗浄剤組成物の粘度を表１４、１５に示す。
また、濃度と粘度の関係をプロットし、粘度が最大となるときの濃度を求めた。結果を表１４、１５に示す。
【００９５】
【表１４】
2010275476.tif 000018
【００９６】
【表１５】
2010275476.tif 000019
【００９７】
ハイドロトロープ剤であるＰＴＳとＣＳＮａの比率を変化させた試験例１４−１〜１４−３では、ＰＴＳの割合が多くなるに連れて粘度が最大となるときの濃度が低濃度側に移動した。
ＬＭＥやＡＥの比率を変化させた試験例１５−１〜１５−３では、ＬＭＥの割合が多くなるに連れて粘度が最大となるときの濃度が低濃度側に移動した。
これらの結果より、粘度が最大となるときの濃度は、ハイドロトロープ剤の種類やその含有量、および非イオン界面活性剤の種類やその含有量により容易に調整できる。
【００９８】
［実施例１〜６、比較例１〜５］
表１６、１７に示す配合組成に従って各成分を混合した以外は、試験例１−１等と同様にして各例の液体洗浄剤組成物（原液）をそれぞれ調製し、粘度を測定した。結果を表１６、１７に示す。
ついで、濃度が２０〜８０質量％になるように、各例の原液とイオン交換水を混合し、粘度を測定した。濃度２０、４０、６０、８０質量％の液体洗浄剤組成物の粘度を表１６、１７に示す。
また、濃度と粘度の関係をプロットし、粘度が最大となるときの濃度を求めた。結果を表１６、１７に示す。
【００９９】
＜評価＞
（泡立ち性の評価）
縦１１．５ｃｍ×横７．５ｃｍ×高さ３ｃｍの食器洗い用スポンジに、水道水３８ｇと液体洗浄剤組成物２ｇをそれぞれとり、５回手で揉んだときの泡立ち性について、下記評価基準に基づいて評価した。結果を表１、２に示す。
◎：スポンジの表面全体を泡が覆い尽くす。
○：スポンジ表面を覆う泡の割合がスポンジの表面積の８０％以上、１００％未満である。
△：スポンジ表面を覆う泡の割合がスポンジの表面積の５０％以上、８０％未満である。
×：スポンジ表面を覆う泡の割合がスポンジの表面積の５０％未満である。
【０１００】
（泡の持続性の評価）
オリーブ油１ｇと水５ｇを乗せた皿（直径２１ｃｍ）を油汚垢皿とした。
縦１１．５ｃｍ×横７．５ｃｍ×高さ３ｃｍの食器洗い用スポンジに、水道水３８ｇと液体洗浄剤組成物２ｇをそれぞれとり、３回手で揉んだ後、油汚垢皿を２５℃の水道水を用いて、通常家庭で行われる方法と同様にして洗浄した。スポンジ上の泡が消失した時点までに洗浄できた皿の枚数を数え、泡の持続性を評価した。結果を表１、２に示す。
なお、１回の食事における食器の枚数は、１人当たり概ね５枚程度である。よって、一家族を４人とした場合における、１回の食事で洗浄する食器の枚数を２０枚とし、本評価において２０枚以上の皿を洗浄できた場合を持続性に優れると判断した。
【０１０１】
【表１６】
2010275476.tif 000020
【０１０２】
【表１７】
2010275476.tif 000021
【０１０３】
表１６から明らかなように、各実施例で得られた液体洗浄剤組成物は、優れた泡立ち性と泡の持続性を兼ね備えていた。
一方、表１７から明らかなように、粘度が最大となるときの濃度が４２質量％であり、かつ粘度の最大値が３６０ｍＰａ・ｓである比較例１、３で得られた液体洗浄剤組成物は、スポンジ内へ拡散しにくく、泡立ち性に劣っていた。
粘度が最大となるときの濃度が１００質量％（原液）であり、濃度４０％粘度が１０ｍＰａ・ｓである比較例２で得られた液体洗浄剤組成物は、スポンジから流出しやすく、泡の持続性に劣っていた。
初期粘度が１８０ｍＰａ・ｓであり、粘度が最大となるときの濃度が８０質量％であり、かつ粘度の最大値が３００ｍＰａ・ｓである比較例４で得られた液体洗浄剤組成物は、スポンジ内へ拡散しにくく、泡立ち性に劣っていた。
粘度が最大となるときの濃度が８０質量％であり、濃度４０％粘度が６０ｍＰａ・ｓである比較例５で得られた液体洗浄剤組成物は、スポンジから流出しやすく、泡の持続性に劣っていた。
【図１】
2010275476.tif 000022